(57)【特許請求の範囲】
【請求項１】
容器を仕切壁で流入室と流出室に分割して、仕切壁の下部に通水口を形成すると共に、流出室の側壁上部に流出口を形成し、流入室の上端流入口を除いて蓋体を容器に被着して成るトラップ部品を、上部接続口と下部接続口を備えた排水桝の該上部接続口より下側の内部に環状支持材で脱着可能に取付け、トラップ部品と環状支持材とで排水桝の内部空間を上部空間と下部空間に仕切ったことを特徴とするトラップ付き排水桝。
【請求項２】
前記トラップ部品の容器が、その環状側壁の一部にＶ形の凹入側壁を形成し、この凹入側壁の上部に前記流出口を形成したものであることを特徴とする請求項１に記載のトラップ付き排水桝。
【請求項３】
前記Ｖ形の凹入側壁の夾角が１２０°であり、前記流入室及び前記流出室の平面形状が１２０°の頂角を有する扇形であることを特徴とする請求項２に記載のトラップ付き排水桝。
【請求項４】
前記容器の上端に環状のフランジを形成し、このフランジの内周の蓋受段部に、前記流入室の上端流入口に対応した形状の切欠部を有する蓋体を被着したことを特徴とする請求項２又は請求項３に記載のトラップ付き排水桝。
【請求項５】
前記環状支持材を排水桝の周壁の縮径段部に係止させ、前記容器の環状のフランジを前記環状支持材の内周に形成した段部に係止させて、トラップ部品を排水桝の上部接続口より下側の内部に取付けたことを特徴とする請求項４に記載のトラップ付き排水桝。
【請求項６】
排水桝の上部接続口を排水桝の片側に偏位させて形成したことを特徴とする請求項１ないし請求項５のいずれかに記載のトラップ付き排水桝。
【発明の詳細な説明】
【技術分野】
【０００１】
本発明は、臭気の逆流を防止するトラップ付き排水桝に関する。
【背景技術】
【０００２】
近年、家屋内のトイレ、洗面台、台所、浴室などの水設備からの排水管を家屋の床下に配管し、この床下の排水管を家屋の基礎を貫通させて、屋外に埋設した排水桝（公共の下水管へ通じる排水管路の起点又は中間点に埋設した排水桝）に接続する配管工法が普及してきた。
【０００３】
このような配管工法にあっては、屋内の排水管路にトラップ部を設けて下水管等からの臭気の逆流を防止するようにしているが、そのようなトラップ部を設けていない場合に、後からトラップ部を排水管路に設ける工事を行うことは面倒で経費が嵩むという問題がある。このような場合、屋外に埋設した排水桝に後からトラップ機能を付加して臭気の逆流を防止できれば、きわめて便利であり且つ経済的である。
【０００４】
トラップ機能を排水桝に後から付与できる排水桝としては、例えば、椀状のポケットを、排水管に接続した下向きの曲がり管体を介して桝本体内に吊設し、該ポケットをトラップ用封水部とした排水桝であって、上記の曲がり管体と排水管とをワンタッチ式に着脱自在に接続すると共に、上記の曲がり管体にハンドル部を立設した構造のトラップ付き排水桝が知られている（特許文献１）。
【０００５】
上記のトラップ付き排水桝は、ポケットと曲がり管体の着脱作業が簡単で、臭気の逆流を防止するトラップ機能を容易に付与できるという利点がある反面、次のような問題があった。
【０００６】
即ち、曲がり管体は排水管よりも細く排水管に対して直角に下方に曲がっており、この曲がり管体の下端に椀状のポケットが取付けられているため、曲がり管体内の排水の流れが良くなく、また、曲がり管体を接続する排水管の位置によってポケットから溢流する排水の落水位置がほぼ決まるため、例えば排水桝下端部に上流側排水管の接続口と下流側排水管の接続口を設けた排水桝においては、その落水位置によって排水が上流側排水管に逆流する場合があるという問題もあった。
【特許文献１】特開平７−２５９１７４号公報
【発明の開示】
【発明が解決しようとする課題】
【０００７】
本発明は上記問題に対処すべくなされたもので、トラップ部品を脱着可能に取付けて簡単にトラップ機能を付与することができ、しかも、トラップ部品内の排水の移動がスムーズで、トラップ部品から流出する排水を上流側の屋外排水管へ逆流しない位置に流落させるように調整することができるトラップ付き排水桝を提供することを解決課題としている。
【課題を解決するための手段】
【０００８】
上記の課題を解決するため、本発明のトラップ付き排水桝は、容器を仕切壁で流入室と流出室に分割して、仕切壁の下部に通水口を形成すると共に、流出室の側壁上部に流出口を形成し、流入室の上端流入口を除いて蓋体を容器に被着して成るトラップ部品を、上部接続口と下部接続口を備えた排水桝の該上部接続口より下側の内部に環状支持材で脱着可能に取付け、トラップ部品と環状支持材とで排水桝の内部空間を上部空間と下部空間に仕切ったことを特徴とするものである。
【０００９】
本発明のトラップ付き排水桝においては、トラップ部品の容器が、その環状側壁の一部にＶ形の凹入側壁を形成し、この凹入側壁の上部に上記流出口を形成したものであることが好ましく、特に、上記Ｖ形の凹入側壁の夾角が１２０°であり、流入室及び流出室の平面形状が１２０°の頂角を有する扇形であることが好ましい。そして、容器の上端に環状のフランジを形成し、このフランジの内周の蓋受段部に、流入室の上端流入口に対応した形状の切欠部を有する蓋体を被着することが好ましく、また、環状支持材を排水桝の周壁の縮径段部に係止させ、容器の環状のフランジを環状支持材の内周に形成した段部に係止させて、トラップ部品を排水桝の上部接続口より下側の内部に取付けることが好ましい。更に、排水桝の上部接続口を排水桝の片側に偏位させて形成することも好ましい。
【発明の効果】
【００１０】
本発明のトラップ付き排水桝は、例えば、屋外の排水管路の起点又は中間点に埋設され、その下部接続口に屋外排水管が接続されると共に、その上部接続口に床下から家屋の基礎を貫通する基礎貫通排水管が接続されて施工される。そして基礎貫通排水管から排水が排水桝内に流入すると、この排水はトラップ部品の上端流入口から流入室へ流れ込み、仕切壁下部の通水口を通って流出室へ移動し、流出室の側壁上部の流出口から排水桝の低部へ流れ落ちて、排水桝の下部接続口に接続された排水管から下水管へ排出される。このとき、トラップ部品を水平に回すことによって、流出室の側壁上部の流出口から流出する排水の落下位置を、排水桝の下部接続口から上流側へ逆流しない位置となるように調節してあると、下部接続口から上流側の屋外排水管への排水の逆流を防止することができる。
一方、基礎貫通排水管からの排水の流入が止まると、トラップ部品の容器内の水位が流出口の下端と同じ高さになったところで流出室からの排水の流出が停止し、流出室と流入室に排水が溜まってトラップ部品は水封される。そして、このトラップ部品と、これを支持して排水桝内に取付ける環状支持材によって、排水桝の内部空間が上部空間と下部空間に仕切られているため、臭気が下水管から排水桝の下部空間まで逆流してきても、上部空間まで逆流することはない。そのため、臭気が排水桝の上部空間から基礎貫通排水管を経て屋内の排水管へ逆流することは阻止される。更に、トラップ部品は環状支持材によって脱着可能に取付けられているから、トラップ部品を排水桝から取出してその流出室や流入室の内部清掃などを行うことにより、容易にメンテナンスをすることもできる。
【００１１】
また、トラップ部品の容器の環状側壁の一部にＶ形の凹入側壁を形成し、該凹入側壁の上部に流出口を形成したものは、該凹入側壁によって挟まれた扇形の平面形状を有する凹入空間部が、流出口から流れ落ちる排水の流落空間となるため、大量の排水でもスムーズに流落できるようになる。特に、Ｖ形の凹入側壁の夾角が１２０°であり、流入室及び流出室の平面形状が１２０°の頂角を有する扇形である場合は、流入室と流出室と凹入空間部（流落空間）が実質的に等しい横断面積を有することになるため、排水の流れが均等でスムーズになる。
【００１２】
また、容器の上端に環状のフランジを形成すると共に、このフランジの内周の蓋受段部に、流入室の上端流入口に対応した形状の切欠部を有する蓋体を被着したものは、蓋体の被着作業を簡単かつ正確に行うことができる。そして、環状支持材を排水桝の周壁の縮径段部に係止させ、容器の環状のフランジを環状支持材の内周に形成した段部に係止させたものは、トラップ部品の取付作業を簡単かつ確実に行うことができる。
【００１３】
更に、排水桝の上部接続口を排水桝の片側に偏位させて形成したものは、上部接続口から排水桝内に流入した排水が旋回流となるので、トラップ部品の上端流入口がどの位置にあっても、旋回しながら排水が上端流入口に達して流入室へ流れ込むようになる。
【発明を実施するための最良の形態】
【００１４】
以下、図面を参照して本発明の具体的な実施形態を詳述する。
【００１５】
図１は本発明の一実施形態に係るトラップ付き排水桝の平面図（桝蓋を取り除いた平面図）、図２は同トラップ付き排水桝の正面図、図３は同トラップ付き排水桝の右側面図、図４は図１のＡ−Ａ線断面図、図５は同トラップ付き排水桝の分解断面図、図６は蓋体を分離して示すトラップ部品の斜視図、図７は図６のＢ−Ｂ線断面図（桝蓋を被着した状態の断面図）である。
【００１６】
このトラップ付き排水桝は、図２、図３、図４に示すように、合成樹脂製の排水桝１の内部に合成樹脂製のトラップ部品２を取付けたものであって、排水桝１は、桝本体１１と、中間筒体１２と、上部筒体１３と、内筒１６と、蓋受枠１４と、桝蓋１５とで構成されている。
【００１７】
桝本体１１は、上流側の屋外排水管４ａを接続する下部接続口１１ａと、下流側の屋外排水管４ｂを接続する下部接続口１１ｂを、桝本体の片側に偏位させて形成すると共に、桝本体１１の側壁を外側に膨出させて双方の下部接続口１１ａ，１１ｂをつなぐ流水通路１１ｃを形成したものであって、この桝本体１１の上端には嵌合筒部１１ｄが形成されている。図２、図３に示すように、上流側の下部接続口１１ａは下流側の下部接続口１１ｂより高い位置に形成されており、これに対応して、流水通路１１ｃにも段差が設けられて上流側通路部の方が下流側通路部よりも高く形成されている。このため、桝本体の低部へ流落した排水は流水通路１１ｃの一段高い上流側通路部に乗り上げて逆流することなく、下流側の屋外排水管１１ｂへ排出されるようになっいる。
【００１８】
中間筒体１２は、上部筒体１３に形成された上部接続口１３ａを、これに接続される基礎貫通排水管５の高さと同じ高さに調節するためのものであって、その下端が桝本体の嵌合筒部１１ｄに嵌合接続されている。
【００１９】
上部筒体１３は、図２に示すように、その片側に上部接続口１３ａを偏位させて突設したものであって、図１，図３に示すように、上部接続口１３ａの付け根部分１３ｂは湾曲しながら上部筒体１３の周壁まで延びている。このため、上部接続口１３ａに接続される基礎貫通排水管５から流入した排水は旋回流となり、後述するトラップ部品２の上端流入口がどの位置にあっても、旋回しながら排水が上端流入口に達してトラップ部品２内へ流れ込むようになっている。そして、この上部筒体１３の下部は縮径筒部１３ｃに形成されて中間筒体１２の上端開口に嵌合接続されており、また、上部は嵌合筒部１３ｄに形成されている。
【００２０】
図４に示すように、上部筒体１３の嵌合筒部１３ｄには、内筒１６を介して蓋受枠１４が嵌着されており、この蓋受枠１４に硬質ポリ塩化ビニル製の桝蓋１５が被着されている。内筒１６は、桝蓋１５が地面と面一になるように蓋受枠１４の高さを調節するもので、この実施形態では高さ調節の必要がないため、上部筒体１３の嵌合筒部１３と同じ高さに切断されている。
【００２１】
上記の排水桝１の内部に取付けられるトラップ部品２は、図６、図７に示すように、円筒状の環状側壁の一部にＶ形の凹入側壁２ｂ，２ｂを形成した有底の容器２ａを仕切壁２ｃによって流入室２ｄと流出室２ｅとに分割し、仕切壁２ｃの下部に通水口２ｆを形成すると共に、流出室２ｅの上記凹入側壁２ｂの上部に流出口２ｇを形成したものであって、この容器２ａの上端には環状のフランジ２ｈが形成されており、該フランジ２ｈの内周に形成された蓋受段部２ｉには、流入室２ｄの上端流入口に対応した形状の切欠部２ｊを有する蓋体２ｋが被着されている。
【００２２】
この実施形態のトラップ部品２の容器２ａは、Ｖ形の凹入側壁２ｂ，２ｂの夾角を１２０°に設定して、頂角が１２０°の扇形の平面形状を有する凹入空間部を形成すると共に、流入室２ｄと流出室２ｅの平面形状が１２０°の頂角を有する扇形となるように仕切壁２ｃで容器２ａを二分割し、仕切壁２ｃの下部に形成した通水口２ｆの開口面積と、流出室２ｅの凹入側壁２ｂの上部に形成した流出口２ｇの開口面積を、流入室２ｄ及び流出室２ｅの横断面積と実質的に同一にすることによって、トラップ部品２を通過し凹入空間部を流落する排水の流れが均等でスムーズになるようにしている。そして、この流入室２ｄの平面形状と同一の１２０°の頂角を有する扇形の切欠部２ｊを設けた蓋体２ｋを容器２ａ上端のフランジ２ｈの蓋受段部２ｉに被着している。
【００２３】
上記のトラップ部品２は、図４に示すように、排水桝１の上部筒体１３に形成された縮径段部１３ｅにゴム製の環状支持材３を気密的に係止させると共に、この環状支持材３の内周に形成された段部３ａ（図５参照）にトラップ部品２の環状のフランジ２ｈを気密的に係止させることによって、排水桝１の上部接続口１３ａより下側の内部に着脱可能に取付けられている。このため、排水桝１の内部は、図４に示すように、トラップ部品２と環状支持材３とによって、上部空間１７と下部空間１８に仕切られている。
【００２４】
尚、環状支持材３はその外径が蓋受枠１４の内径より少し大きいため、この実施形態では変形可能なゴム製の環状支持材を使用して排水桝内に挿入できるようにしているが、二分割した硬質合成樹脂製の半環状の支持材を二つ合体させて上部筒体１３の縮径段部１３ｅに係止させるようにしてもよい。
【００２５】
以上のような構成のトラップ付き排水桝１は、例えば、屋外の排水管路の中間点に埋設され、その下部接続口１１ａ，１１ｂに上流側及び下流側の屋外排水管４ａ，４ｂが接続されると共に、その上部接続口１３ａに床下から家屋の基礎を貫通する基礎貫通排水管５が接続されて施工される。そして、基礎貫通排水管５から排水が排水桝１内に流入すると、この排水はトラップ部品２の流入室２ｄの上端流入口から流入室２ｄへ流れ込み、仕切壁２ｃ下部の通水口２ｆを通って流出室２ｅへ移動し、流出室２ｅの側壁上部の流出口２ｇから排水桝本体１ａの低部へ流れ落ちて、下部接続口１１ｂに接続された下流側の屋外排水管４ｂから下水管へ排出される。このとき、トラップ部品２を水平に回すことによって、流出室２ｅの側壁２ｂ上部の流出口２ｇから流出する排水の落下位置を、排水桝本体１１の下部接続口１１ａから上流側の屋外排水管４ａへ排水が逆流しない位置となるように調節して取付けてあると、流落した排水が下部接続口１１ａから上流側の屋外排水管４ａへ逆流しなくなり、特に、流水通路１１ｃに段差が設けられている場合は確実に逆流を防止することができる。
【００２６】
一方、基礎貫通排水管５からの排水の流入が止まると、トラップ部品２の容器内２ａの水位が流出口２ｇの下端と同じ高さになったところで流出室２ｅからの排水の流出が停止し、流出室２ｅと流入室２ｄに排水が溜まってトラップ部品２は水封される。そして、このトラップ部品２と、これを支持して排水桝１内に取付ける環状支持材３によって、排水桝１の内部空間が上部空１７間と下部空間１８に仕切られているため、下水管からの臭気が屋外排水管４ｂを通じて排水桝１の下部空間１８まで逆流してきても、上部空間１７まで逆流することはない。そのため、臭気が排水桝１の上部空間１７から基礎貫通排水管５を経て屋内の排水管へ逆流することは阻止される。
【００２７】
また、トラップ部品２は環状支持材３によって脱着可能に取付けられているから、トラップ部品２を排水桝１から取出してその流出室２ｅや流入室２ｄの内部清掃などを行うことにより、容易にメンテナンスをすることもできる。
【図面の簡単な説明】
【００２８】
【図１】本発明の一実施形態に係るトラップ付き排水桝の平面図（桝蓋を取り除いた平面図）である。
【図２】同トラップ付き排水桝の正面図である。
【図３】同トラップ付き排水桝の右側面図である。
【図４】図１のＡ−Ａ線断面図である。
【図５】同トラップ付き排水桝の分解断面図である。
【図６】蓋体を分離して示すトラップ部品の斜視図である。
【図７】図６のＢ−Ｂ線断面図（桝蓋を被着した状態の断面図）である。
【符号の説明】
【００２９】
１    排水桝
１１  排水桝本体
１１ａ，１１ｂ  下部接続口
１２  中間筒体
１３  上部筒体
１３ａ  上部接続口
１３ｅ  縮径段部
１４  蓋受枠
１５  桝蓋
１７  上部空間
１８  下部空間
２  トラップ部品
２ａ  容器
２ｂ  Ｖ形の凹入側壁
２ｃ  仕切壁
２ｄ  流入室
２ｅ  流出室
２ｆ  通水口
２ｇ  流出口
２ｈ  フランジ
２ｉ  蓋受段部
２ｊ  切欠部
２ｋ  蓋体
３    環状支持材
３ａ  段部
４ａ  上流側の屋外排水管
４ｂ  下流側の屋外排水管
５    基礎貫通排水管
【図１】
0004795786.tif 000002
【図２】
0004795786.tif 000003
【図３】
0004795786.tif 000004
【図４】
0004795786.tif 000005
【図５】
0004795786.tif 000006
【図６】
0004795786.tif 000007
【図７】
0004795786.tif 000008